(57)【要約】ボトル（１１）の開口を覆い閉塞する為の閉塞具（１０）は、ボトルに取り付け可能である本体（１２）と本体から外に突出している少なくとも一つの突起（１３）とを備える。突起の使用時の下側表面（１４）は人間工学的な湾曲を有していて、それによって使用者の指Ｆが使用時に下側表面に対し密接して受け入れられることが出来る。複数の個別の開口（１６）が１つ又はそれ以上の突起を通って延びていて、閉塞具の周りに配置されている。或いは、任意の個別の開口（１１１６）を伴っている１つ又はそれ以上の突起（１１１３）が、ボトル（１１１１）から飛び出るように配置されている。【選択図】  図２
2011504854.tif 000002
【特許請求の範囲】
【請求項１】
ボトルの開口を覆い閉塞する為の閉塞具であり、ボトルに取り付け可能な本体と、本体から外に突出した少なくとも一つの突起と、を備えていて、突起の使用時の下側表面が人間工学的な湾曲を有していて、それによって使用者の指が使用時に下側表面に対し密接して受け入れられることが出来る、ことを特徴とする閉塞具。
【請求項２】
少なくとも一つの突起は、使用者の指が突起の下側表面と係合し閉塞具が取り付けられているボトルを持ち運び可能にするのに十分な寸法を許容するよう閉塞具の本体から十分に外に突出している、請求項１中に請求されている閉塞具。
【請求項３】
少なくとも一つの突起は、閉塞具の本体の幅の少なくとも１０％まで閉塞具の本体から外に突出している、請求項２中に請求されている閉塞具。
【請求項４】
一つよりも多くの突起が閉塞具の本体から外に突出している、請求項１乃至３のいずれか１項に請求されている閉塞具。
【請求項５】
一連の隣接している突起が閉塞具の本体の周辺の周りに延出しているとともに閉塞具の本体から外に突出している、請求項４に請求されている閉塞具。
【請求項６】
突起の少なくとも１つが、そこを通る少なくとも１つの開口を有している、請求項１乃至５のいずれか１項に請求されている閉塞具。
【請求項７】
一つよりも多くの突起が閉塞具の本体から外に突出している時、個々の突起はそこを通る少なくとも１つの開口を有している、請求項１乃至６のいずれか１項に請求されている閉塞具。
【請求項８】
唯一つの突起が閉塞具の本体から延出している時、突起はそこを通る１つ以上の開口を有している、請求項１乃至６のいずれか１項に請求されている閉塞具。
【請求項９】
一つの突起が閉塞具の本体の周りに直角に延出しているとともに、多数の開口が突起の周りに相互に均等な距離に離間している、請求項８に請求されている閉塞具。
【請求項１０】
少なくとも一つの開口は、本体がボトルに取り付けられた時に、開口を通った連結具の受け入れにより、少なくとも一つの突起によりボトルが持ち運びされることを可能にしている、請求項６乃至９のいずれか１項に請求されている閉塞具。
【請求項１１】
閉塞具の本体の外側表面がその上に形成された多数の個別の溝を有していて、個々の溝は閉塞具の本体の長手方向軸に対し平行に延出している、請求項１乃至１０のいずれか１項に請求されている閉塞具。
【請求項１２】
個々の溝は、少なくとも一つの突起中の夫々の開口と直線状に配列されている、請求項１１に請求されている閉塞具。
【請求項１３】
突起は閉塞具の本体の側壁から側方に延出している、請求項１乃至１２のいずれか１項に請求されている閉塞具。
【請求項１４】
少なくとも一つの突起が、その外縁に少なくとも一つの凹みを備えている、請求項１乃至１３のいずれか１項に請求されている閉塞具。
【請求項１５】
閉塞具の本体が開封帯を備えていて、そして、少なくとも一つの突起が開封帯から外に突出している、請求項１乃至１４のいずれか１項に請求されている閉塞具。
【請求項１６】
閉塞具が取り除かれた時に開封帯がボトル上に保持され、これによって突起はボトルに保持される、請求項１５に請求されている閉塞具。
【請求項１７】
閉塞具がボトルから取り除かれた時にボトル上に残る帯に追加の連結具を介して連結されている、請求項１乃至１６のいずれか１項に請求されている閉塞具。
【請求項１８】
ボトルの開口を覆い閉塞する為の閉塞具であり、ボトルに取り付け可能な本体と、本体の周辺の周りに延出していて本体から外に突出した一つ又はそれ以上の突起と、を備えていて、一つ又はそれ以上の突起を通って延出していて閉塞具の周りに配置されている複数の個別の開口を特徴としている閉塞具。
【請求項１９】
夫々がそこを通る開口を有している複数の突起を備えている、請求項１８に請求されている閉塞具。
【請求項２０】
請求項１乃至１７のいずれか１項に規定されている如く異なっている、請求項１８又は１９に請求されている閉塞具。
【請求項２１】
ボトルから自由端まで外に側方に直角に延出している少なくとも一つの突起を備えているボトルであり、少なくとも一つの突起はボトルの開口を覆い閉塞する為の閉塞具がボトルに取り付けられている近傍に配置されていて、突起の使用時の下側表面が人間工学的な湾曲を有していて、それによって使用者の指が使用時に下側表面に対し密接して受け入れられることが出来る、ボトル。
【請求項２２】
ボトルの開口を覆い閉塞する為の閉塞具がボトルに取り付けられている場所の近傍においてそこから延出している一つ又はそれ以上の突起を備えているボトルであり、一つ又はそれ以上の突起はボトルの周辺の周りに延出しているとともにボトルから外に突出していて、そして、複数の個別の開口が一つ又はそれ以上の突起を通って延出しているとともにボトルの周りに配置されている、ボトル。
【請求項２３】
個々の突起がそこを通る開口を有している、請求項２２に請求されているボトル。
【請求項２４】
突起が、請求項１乃至１７のいずれか１項に規定されている如く異なっている、請求項２１又は２２に請求されているボトル。
【請求項２５】
ボトルの開口を覆い閉塞する閉塞具と共に使用されるよう適用されているか又はボトルと共に使用されるよう適用されている突起であって、閉塞具はボトルに取り付け可能な本体を備えていて、突起は閉塞具の本体から延出しているか、又は閉塞具の本体が取り付けられている場所の近傍でボトルから延出していて、そして、突起の使用時の下側表面が人間工学的な湾曲を有していて、それによって使用者の指が使用時に下側表面に対し密接して受け入れられることが出来る、突起。
【請求項２６】
ボトルの開口を覆い閉塞する閉塞具と共に使用されるよう適用されているか又はボトルと共に使用されるよう適用されている一つ又はそれ以上の突起であって、閉塞具はボトルに取り付け可能な本体を備えていて、一つ又はそれ以上の突起は閉塞具の本体から延出しているか、又は閉塞具の本体が取り付けられている場所の近傍でボトルから延出していて、そして、一つ又はそれ以上の突起は閉塞具の本体の周辺の周りに延出しているとともに閉塞具の本体から外に突出していて、一つ又はそれ以上の突起を通して延出している複数の個別の開口を伴っていて、開口が閉塞具の周りに配置されている、一つ又はそれ以上の突起。
【請求項２７】
個々の突起がそこを通る開口を有している、請求項２６に請求されている一つ又はそれ以上の突起。
【請求項２８】
請求項１乃至１７のいずれか１項に規定されている如く異なっている、請求項２５又は２６に請求されている一つ又はそれ以上の突起。
【発明の詳細な説明】
【技術分野】
【０００１】
ボトルの開口を覆い閉じる為の閉塞具が開示されているとともに、具体化されたボトルが開示されている。
【背景技術】
【０００２】
ボトルは一般的に全て、それらの開口を覆い閉じる為の閉塞具（closure）を要求している。典型的には、閉塞具は、捩子又は跳ね上げ（flip top）キャップ又はリッド（lid）の形状をしている。閉塞具は、跳ね上げ（flip top）キャップの場合の如く、ボトルと一体に形成することが出来るが、しかしながら、一般的にはそれらはボトルから分離可能である。
【０００３】
それらの最も普通の形状では、閉塞具は一般的には開放端と閉塞端とを有した円筒状の要素である。閉塞具は、ボトルの開口（即ち、飲み口（spout））の外側の周りに形成されている螺旋ねじ山に合致し係合するよう形作られている、内側に形成された螺旋ねじ山
を有しており、その結果として閉塞具はボトル上に螺合されることが出来るしボトル上への螺合を解除されることが出来る。閉塞具をボトル上に置いたりボトルから分離させるときに、人が閉塞具を握るのを手助けするよう、波形状体（corrugation）がしばしば円筒形状閉塞具の周りに設けられる。
【０００４】
国際公開公報WO 00/12397は、キャップから延び出した複数の平坦な突起を含んでいるボトル持ち運び装置を開示している。米国US 5,462,185は、それを通して持ち運びストラップを供給できる対向腕を含む分配具（dispenser）を開示している。米国US 2,307,390は、湾曲されている一体取っ手（curved integral handle）を伴っているボトルを開示している。
【発明の概要】
【０００５】
第１の概念に従うと、ボトルの開口を覆い閉塞する為の閉塞具が提供され、閉塞具は、ボトルに取り付け可能な本体と、本体から外に突出した少なくとも一つの突起と、を備えていて、突起の使用時の下側表面が人間工学的な湾曲を有していて、それによって使用者の指が使用時に下側表面に対し密接して受け入れられることが出来る、ことを特徴としている。
【０００６】
突起の下側表面における人間工学的な湾曲の提供は、閉塞具の最大の快適性，使用の容易さ，安全性，そして強調された美しさを提供する。これに関して、人間工学的な湾曲は、閉塞具が（ボトルに取り付けられている時）、使用者の隣接している指間の快適で確実な台座となりいわゆるボトルの揺動持ち運び（swing-carrying）を可能にする。人間工学的な湾曲はまた、ボトルの容易かつスリップ無しの「掴み（grab）」を提供し、ボトル持ち運びを厄介でなくする、ことが出来る。それに対する快適の提供は、使用者の単一の手が複数のボトルを持ち運ぶことも許容できる。
【０００７】
少なくとも一つの突起が閉塞具から概念的に突出している間には、以下に述べられる如く、それはボトルの首（例えば、ボトルの首に適合された時の閉塞具の下方縁の近傍である場所）から突出するよう形成されることができ、あるはそれは、閉塞具から分離していて、使用時にボトルに設けられる要素の一部を形成することが出来る。
【０００８】
一つの実施形態においては、少なくとも一つの突起は、使用者の指が突起の下側表面と係合し閉塞具が取り付けられているボトルを持ち運び可能にするのに十分な寸法を許容するよう閉塞具の本体から十分に外に突出することが出来る。例えば、少なくとも一つの突起は、閉塞具の本体の幅の少なくとも１０％まで閉塞具の本体から外に突出することが出来る。
【０００９】
もう一つの実施形態においては、少なくとも一つの突起は少なくとも２０％乃至２５％の幅を有することが出来る。閉塞具の本体が円筒形状の時は、閉塞具の本体の幅がその直径であることが出来る。
【００１０】
少なくとも一つの突起が中実であることが出来る間には、一つの実施形態においては、単一の突起が閉塞具の本体の周囲からまた周りから外に突出することが出来る。もう一つの実施形態においては、閉塞具は、例えば本体の反対側から延出している、２つの突起を備えることが出来る。閉塞具が２つ以上の突起を備えている時は、それらは一連の隣接した突起（例えば、等間隔に離間している）として閉塞具の本体の周囲の周りに離間され閉塞具の本体の周囲から外に突出することが出来る。
【００１１】
一つの実施形態においては、突起の少なくとも１つが、そこを通る少なくとも１つの開口を有することが出来る。例えば、一つよりも多くの突起が閉塞具の本体から外に突出している時、個々の突起にはそこを通る１つの開口が設けられることが出来る。もう一つの実施形態においては、唯一つの突起が閉塞具の本体から延出している時、突起はそこを通る１つ以上の開口を有することが出来る。さらに、一つの突起が閉塞具の本体の周りに直角に延出していることが出来るとともに、多数の開口が突起の周りに相互に均等な距離に離間していることが出来る。
【００１２】
さらなる代わりにおいては、閉塞具はその下側に人間工学的な湾曲を有している単一の個別な突起を備えることが出来、単一の個別な突起は（後述される如く）連結具と連結する為のそこを通った開口を選択的に有している。
【００１３】
開口は、本体がボトルに取り付けられた時に、開口を通った連結具の受け入れにより、少なくとも一つの突起によりボトルが持ち運ばれることを可能にしている。これは、閉塞具が取り付けられているボトルの手が自由な，容易な，そして携帯持ち運びを許容することが出来る。このことはまた、ボトルが使用者に所有され続け、それ故に世話されないか又は確実でないままにされない、ことを意味する。ボトルの所有を維持することはまた、一日を通しての定期的な／頻繁な（例えば、水の）飲用を促進することが出来る。
【００１４】
開口はまた、突起を形成するのに要求される材料の重量及び容積を減少させ、そして製造コストを減少させる。
【００１５】
閉塞具はまた他のボトルと交換可能であり、これによって閉塞具は（例えば、連結具を介して使用者が保持する）一種の個人的な所有物になることが出来る。
【００１６】
一つの実施形態においては、開口は円形である。もう一つの実施形態では、開口は楕円である。しかしながら、開口は、例えば、四角形，三角形，又は他の多角形の如き所望の如何なる形状であることが出来、或いは洒落た形状（stylised shape）（例えば涙滴，花弁，花，その他）を有することさえ出来る。もう一つの実施形態においては、個々の開口は、美観を強調する為に、その個々の突起に大略同じ形状を有することが出来る。
【００１７】
連結具は、ピン，ボルト，クリップ，カラビナ（caribina），ランヤード(lanyard），紐（string），太い紐（cord），チェイン，ケーブル  タイ（cable tie），キーリング（keyring），スプリットリング（split ring），又は如何なる他の適切な連結具であることが出来る。
【００１８】
連結具は、閉塞具及び／又はボトルを、例えば、かばん（bag），ベルトループ（belt loop），バックパック（back pack），ドアノブ（door knob），又は人の如き如何なる適切な物体に連結することが出来る。
【００１９】
一実施形態においては、閉塞具の本体の外側表面はその上に形成された多数の個別の別の溝を有していて、個々の溝は閉塞具の本体の長手方向軸に対し平行に延出している。個々の溝はまた、少なくとも一つの突起中の夫々の開口と直線状に配列されていることが出来る。
【００２０】
一実施形態においては、突起は閉塞具の本体の側壁から側方に延出していることが出来る。
【００２１】
一実施形態においては、少なくとも一つの突起が、把持及びボトルに対する閉塞具の除去／取り付けを補助する為に、その外縁に少なくとも一つの凹みを備えていることが出来る。
【００２２】
一実施形態においては、閉塞具の本体が開封帯（tamper band）を備えていて、そして、少なくとも一つの突起が開封帯から外に突出している。開封帯（tamper band）は、閉塞具が取り除かれた時にボトル上に保持されることが出来、これによって突起はボトルに保持される。
【００２３】
閉塞具の本体は一時的にボトルに取り付けられて良く、或いは、ボトルとの一体的な形成によりボトルに取り付けられていても良い。変形例においては、閉塞具は、ボトルから取り外された時にボトルから失われないように、結びつけ機構（tying mechanism）によりボトルに別に連結されていても良い。例えば、閉塞具は、追加の連結具（例えば、タイ（tie），つなぎ縄（tether），又はバンド（band））を介して、閉塞具が取り除かれた時にボトル上の裏に残る開封帯（tamper band）に連結させることが出来る。この追加の連結帯に対する連結は、ボトルからの閉塞具の捩じりによる取り外し又はボトル上への閉塞具の螺合を依然として許容することが出来る。
【００２４】
一実施形態においては、閉塞具の本体は円筒形状を備えている。円筒形状の本体は、一端（例えば、使用時の下方）において開き、そしてもう一端（例えば、使用時の上方）において閉塞されることが出来る。円筒形状の開放端はその中にボトルの一部（例えば、首／吸い口（spout））を受け入れ、ボトルの開口を閉塞するよう配置されることが出来る。
【００２５】
一実施形態においては、円筒形状の本体の内側表面は、ボトルの外表面上の螺旋ねじ山と係合する為にその上に形成された螺旋ねじ山を有している。
【００２６】
もう一つの実施形態においては、円筒形状の本体の内側表面には、ボトルの外表面とのスナップ（snap），干渉（interference），又は摩擦（friction）適合係合（fit-engagement）の為にその上に形成された例えばあご（jaw）又はリブ（rib）が設けられていることが出来る。
【００２７】
一実施形態においては、閉塞端はその上に形成されたポップアップ口片（pop-up mouth piece）を有していて、そこを通して流体がボトルから出ることが出来る。もう一つの実施形態においては、閉塞端はその上に形成されたノズル（nozzle）を有していて、そこを通して流体がボトルから出ることが出来る。この実施形態においては、閉塞具がまたノズルの上で閉塞させる覆蓋を備えていて良い。ノズルはまた、自己閉鎖弁又は膜と協働する型であって良い。覆蓋は本体から完全に取り外し可能であることが出来、又はヒンジ（hinge）により本体に対し永久に取り付けられていることも出来る。
【００２８】
もう一つの実施形態においては、円筒形状の本体は第１端（例えば、下方）及び第２端（例えば、上方）において開放されている。
【００２９】
一実施形態においては、第１開放端はその中にボトルの一部（例えば、首／吸い口（spout））を受け入れるボトルの開口を閉塞するよう構成されている。代わりに、閉塞具の第１開放端はボトルの開口と一体に形成されることが出来る。
【００３０】
一実施形態においては、閉塞具はさらに、円筒形状の本体の第２開放端を覆い閉塞する為のリッド（lid）を備える。言い換えれば、このリッド（lid）は、ボトルを開く追加の道を提供することが出来る。さらに、円筒形状の本体の外表面及びリッド（lid）の内表面は互いに係合する為にそれらの上に形成された螺旋ねじ山を有することが出来る。代わりに、リッド（lid）は、本体にヒンジで取り付けられることが出来る。
【００３１】
第２の概念に従えば、ボトルに取り付け可能な本体と、本体の周辺の周りに延出し本体から外に突出した一つ又はそれ以上の突起と、を備えていて、ボトルの開口を覆い閉塞する為の閉塞具が提供され、複数の個別の開口が一つ又はそれ以上の突起を通って延出し閉塞具の周りに配置されている、ことを特徴としている。
【００３２】
一つ又はそれ以上の突起に形成された複数の個別の開口の提供は、閉塞具（又はボトルの首）の周辺の周りの直角に延出している突起及び開口の両者とともに、閉塞具／ボトルの首の周りの直角の複数の取り付け点を提供する。周辺突起はまた、閉塞具の取り外し及び再固定を手助けすることが出来る。この配置はまた、閉塞具／ボトルの首に、ボトルに対し消費者の気を引くことができる、強調された美観を提供する。
【００３３】
突起はまた、（例えば、閉塞具がボトルに設けられる時に）閉塞具が表面上に平らに座るよう挿入されることを許容することが出来る。このことは、ボトルが逆さの向きに立つことを許容でき、特別に（uniquely）陳列されることを許容できる。（例えば、液体石鹸，シャンプー，洗剤，その他の為の）幾つかのボトルはまた逆向きの姿勢から使用され、閉塞具はこの様なボトルに適切になる。
【００３４】
第２の概念の閉塞具は、複数の突起を備えており、個々の突起はそこを通過する開口を有している。さもなければ、第２の概念の閉塞具は、第１の概念の為に規定されている如くに出来る。
【００３５】
第３の概念においては、ボトルから自由端に向かい側方に直角に外に延出している少なくとも一つの突起を備えているボトルが提供されており、少なくとも一つの突起はボトルの開口を覆い閉塞する為の閉塞具がボトルに取り付けられている位置の近傍に配置されていて、ここにおいては、第１の概念の閉塞具により規定されている如く、突起の使用時の下側表面が人間工学的な湾曲を有していて、それによって使用者の指が使用時に下側表面に対し密接して受け入れられることが出来る。
【００３６】
自由端へと外に向かう側方延出は、いわゆるボトルの揺動持ち運び（swing-carrying）を可能にしている。
【００３７】
第４の概念においては、ボトルの開口を覆い閉塞する為の閉塞具がボトルに取り付けられている場所の近傍の位置においてそこから延出している一つ又はそれ以上の突起を備えているボトルが提供されており、そこにおいては、一つ又はそれ以上の突起はボトルの周辺の周りに延出しているとともにボトルから外に突出していて、そして、複数の個別の開口が一つ又はそれ以上の突起を通って延出しているとともにボトルの周りに配置されている。
【００３８】
第４の概念のボトルにおいては、閉塞具がボトルの首に取り付けられた時に、それは一つ又はそれ以上の突起に対し接近して対面する関係に着座することが出来る。
【００３９】
さらに、一つ又はそれ以上の突起は、いったん閉塞具の本体がボトルに取り付けられているのであれば、例えば、少なくとも一つの突起によりボトルが持ち運ばれることを可能に出来る。
【００４０】
さらに、一つ又はそれ以上の突起は、突起の下側表面との係合する為の使用者の指の十分な寸法を提供する為の十分な幅であることが出来る。用語「幅」は、側方における突出の長さを指摘する為にここにおいて使用されている。
【００４１】
第４の概念のボトルにおいては、個々の突起はそこを通る開口を有することが出来る。他に、第４の概念のボトルの突起は、第１の概念の為に規定されている如く出来る。
【００４２】
第５の概念においては、ボトルの開口を覆い閉塞する閉塞具と共に使用されるよう適用されているか又はボトルと共に使用されるよう適用されている突起が提供され、閉塞具はボトルに取り付け可能な本体を備えていて、ここにおいて、突起は閉塞具の本体から延出しているか、又は閉塞具の本体が取り付けられている場所の近傍でボトルから延出していて、そして、第１の概念において規定されている如く、突起の使用時の下側表面が人間工学的な湾曲を有していて、それによって使用者の指が使用時に下側表面に対し密接して受け入れられることが出来る。
【００４３】
第５の概念の突起は、閉塞具又はボトルのいずれかから分離されていることが出来、そして、これに関しボトルに対し別に設けられている要素の部分を形成することが出来る。
【００４４】
第６の概念においては、ボトルの開口を覆い閉塞する閉塞具と共に使用されるよう適用されているか又はボトルと共に使用されるよう適用されている一つ又はそれ以上の突起が提供され、閉塞具はボトルに取り付け可能な本体を備えていて、ここにおいては、一つ又はそれ以上の突起は閉塞具の本体から延出しているか、又は閉塞具の本体が取り付けられている場所の近傍でボトルから延出していて、そして、一つ又はそれ以上の突起は閉塞具の本体の周辺の周りに延出しているとともに閉塞具の本体から外に突出していて、一つ又はそれ以上の突起を通して延出している複数の個別の開口を伴っていて、開口が閉塞具の周りに配置されている。
【００４５】
さらに、第６の概念の突起は、閉塞具又はボトルから別であることが出来、そして、さらに、ボトルに対し別に設けられている要素の部分を形成することが出来る。
【００４６】
一つ又はそれ以上の突起の夫々は、そこを通る開口を有することが出来る。他に、第６の概念の一つ又はそれ以上の突起は、第１の概念の為に規定されている如くに出来る。
【図面の簡単な説明】
【００４７】
閉塞具及びボトルの特定の実施形態が、例示の為にのみ、添付の図面を参照しながらこれから記載される。
【図１】図１は、ボトルの開口を覆い閉塞する為の閉塞具の一実施形態の上面図，斜視図，側面図，そして端面図を、ボトルに取り付けられている閉塞具の斜視図と共に示している。
【図２】図２の（Ａ）は、図１の閉塞具の人の指が係合している突起によってボトルが持ち運ばれている斜視図であり；そして、図２の（Ｂ）は、図２の（Ａ）の閉塞具の詳細図である。
【図３】図３は、ボトルの開口を覆い閉塞する為の閉塞具の他の実施形態の上面図，斜視図，側面図，そして端面図を、ボトルに取り付けられている閉塞具の斜視図と共に示している。
【図４】図４は、ボトルの開口を覆い閉塞する為の閉塞具の他の実施形態の上面図，斜視図，側面図，そして端面図を、ボトルに取り付けられている閉塞具の斜視図と共に示している。
【図５】図５は、ボトルの開口を覆い閉塞する為の閉塞具の他の実施形態の上面図，斜視図，側面図，そして端面図を、ボトルに取り付けられている閉塞具の斜視図と共に示している。
【図６】図６は、ボトルの開口を覆い閉塞する為の閉塞具の他の実施形態の上面図，斜視図，側面図，そして端面図を、ボトルに取り付けられている閉塞具の斜視図と共に示している。
【図７】図７は、ボトルの開口を覆い閉塞する為の閉塞具の他の実施形態の上面図，斜視図，側面図，そして端面図を、ボトルに取り付けられている閉塞具の斜視図と共に示している。
【図８】図８は、ボトルの開口を覆い閉塞する為の閉塞具の他の実施形態の上面図，斜視図，側面図，そして端面図を、ボトルに取り付けられている閉塞具の斜視図と共に示している。
【図９】図９は、ボトルの開口を覆い閉塞する為の閉塞具の他の実施形態の上面図，斜視図，側面図，そして端面図を、ボトルに取り付けられている閉塞具の斜視図と共に示している。
【図１０】図１０は、ボトルの開口を覆い閉塞する為の閉塞具の他の実施形態の上面図，斜視図，側面図，そして端面図を、ボトルに取り付けられている閉塞具の斜視図と共に示している。
【図１１】図１１は、ボトルの開口を覆い閉塞する為の閉塞具の他の実施形態の上面図，斜視図，側面図，そして端面図を、ボトルに取り付けられている閉塞具の斜視図と共に示している。
【図１２】図１２は、ボトルの開口を覆い閉塞する為の閉塞具の他の実施形態の上面図，斜視図，側面図，そして端面図を、ボトルに取り付けられている閉塞具の斜視図と共に示している。
【図１３】図１３は、ボトルの開口を覆い閉塞する為の閉塞具の他の実施形態が取り付けられているボトルの斜視図及び側面図である。
【図１４】図１４は、ボトルの開口を覆い閉塞する為の閉塞具の他の実施形態の上面図，斜視図，側面図，そして端面図を、ボトルに取り付けられている閉塞具の斜視図と共に示している。
【図１５】図１５は、ボトルの開口を覆い閉塞する為の閉塞具の他の実施形態の上面図，斜視図，側面図，そして端面図を、ボトルに取り付けられている閉塞具の斜視図と共に示している。
【図１６】図１６は、ボトルの開口を覆い閉塞する為の閉塞具の他の実施形態が取り付けられているボトルの２つの斜視図である。
【発明を実施するための形態】
【００４８】
最初に図１及び図２を参照すると、閉塞具がボトル１１の開口を覆い閉塞する為のキャップ（cap）１０の形で示されている。キャップ（cap）１０は、ボトル１１に取り付け可能な本体１２及び本体１２から延出している多数の突起１３を備えている。図１及び図２のキャップ（cap）１０は、５つの突起を備えている。しかしながら、
図３乃至図１２の幾つかに示されているとともに明細書中にさらに記載されている如き他の実施形態においては、キャップはより多くの又はより少ない突起を有しても良い。５つの突起１３は本体１２の周辺の周りに等間隔に離れている。
【００４９】
突起１３は、本体１２がボトル１１に取り付けられた時、一つ又はそれ以上の突起１３によりボトル１１が持ち運ばれることを可能にするよう配置されている。図２は、ボトル１１が突起１３により持ち運ばれることが出来る一つの例を示している。図２においては、ボトル１１は、本体１２の反対側において、突起１３の少なくとも幾つかに２本の指を係合させている人により持ち運ばれている。人の指がこのように係合していることにより、ボトル１１は人の指の下に延びている。好ましくは、キャップ１０を使用したこの様なボトル１１の持ち運びは、人の手がボトル１１に接触する必要がないことを意味している。この結果として、ボトルの如何なる冷えた内容物も人の体の熱により暖められることがない。さらに、人の手が冷たいボトルに接触しないので、人の手が冷たくならないか、濡れないか、又は冷たくべとべと（clammy）にならない。
【００５０】
突起１３の下方表面１４は人間工学的な形状に湾曲している。個々の人間工学的に湾曲している表面１４は、人の指Ｆが（図２の（Ｂ）中に最も良く示されている如く）突起１３の下側とぴったりと快適に係合することを可能にする。人間工学的に形作られている下方表面１４とは反対の、突起１３の上表面１５は、それらの個々の人間工学的に形作られている下方表面１４に対し概略平行である。従って、突起１３は、概略一定の厚さである。突起１３との人の指の快適な係合のお蔭で、人が突起との係合によりボトル１１を「把持（grab）」し、そして次に持ち運ぶことを容易にしている。さらに、ボトル１１の周りを握るために人が彼等の手の全体を使用しなくてはならないのとは反対に、ボトルはより長い期間快適に持ち運ばれることが出来る。
【００５１】
キャップ１０との指の係合により人がボトル１１を持ち運ぶことが出来ることのもう一つの利点は、例えば鍵，携帯電話，札入れ（wallet），又は食物の如きもう一つの物体を持ち運ぶために彼等の手の平を自由にさせておくことである。さらには、人は、同じ手の同じか又は他の指中に、追加のボトルに取り付けられている追加のキャップの突起を係合させることにより、追加のボトルを持ち運ぶことが出来る。従って、複数のボトルを、（即ち一つの手により）隣接している指の夫々の間に持ち運ぶことが出来る。
【００５２】
突起１３は、人の指が突起１３と係合しそれによってキャップ１０が取り付けられているボトル１１を持ち運ぶことを可能にするのに十分な幅（即ち、側方突出の長さ）である。より詳細には、突起１３は本体１２の幅（直径）の少なくとも１０％、好ましくは少なくとも２０％、より好ましくは少なくとも２５％、の幅を有している。
【００５３】
突起１３の夫々はそこを通る開口を有することも見ることが出来、他の実施形態においては突起のただ一つ又はいくつかがそこを通る開口を有していても良いことに注目すべきである。さらなる変形例においては、突起の一つ，幾つか，又は全てがそこを通る一つ以上の開口を有する。図１及び図２中に示されている突起１６は楕円形状である。しかしながら、開口は、円形状，オボイド（ovoid），四角形状（square），三角形状，五角形状，六角形状，八角形状，その他の如き如何なる所望の形状であって良い。開口は或いは、花，花弁，涙滴，その他の如き洒落た形状（stylised shape）を有しても良い。
【００５４】
図１中に示されている如く、開口１６はまた、本体がボトル１１に取り付けられている時に、開口１６の一つを通した連結具１７の受け入れにより、突起１３によりボトル１１が持ち運ばれることを可能にする。図１中に示されている連結具１７はランヤード（lanyard）であり、しかし、他の実施形態では、ピン，ボルト，クリップ，カラビナ（caribina），紐（string），太い紐（cord），チェイン，ケーブル  タイ（cable tie），キーリング（keyring），スプリットリング（split ring），又は如何なる他の適切な連結具であることが出来る。好ましくは、連結具１７は、キャップ、キャップが取り付けられるボトルも同様に、を、例えば、かばん（bag），ベルトループ（belt loop），バックパック（back pack），ドアノブ（door knob），又は人の如き如何なる適切な物体に容易に連結させることが出来る。一つの特別な適用においては、バックパッカー（backpacker）又はハイカー（hiker）等の如き人が、彼等のバッグのリング又はループに連結具１７を連結させることにより彼等のバッグのリング又はループに、そしてまたさらには飲料ボトルに取り付けられることが出来るキャップ１０の開口１６の一つに、飲料ボトルを連結させて良い。或いは、連結具１７は、バックパッカー（backpacker）又はハイカー（hiker）の首の周りに身に付けられている太い紐（cord）に連結されていることが出来る。両方の例においては、彼等のバッグ又は自分自身に対する確実な取り付けを維持している間に、飲料ボトルは人による使用の為に容易に入手可能となる。連結具は、より重いボトルの持ち運びもまた許容する。
【００５５】
キャップ１０の本体１２はボトル１１に対し一時的に取り付けられることが出来、又は、キャップ１０の一部が、キャップの残りの部分の除去の後にボトルに固定されたままに残るようボトルに取り付けられていても良い。本体１２は円筒形状を備えていて、図１及び２中に示されている実施形態においては、図１及び図２中に示されている如く、キャップの使用時における下方の開口端に配置されている取り外し可能な（破壊可能に取り付けられている）開封帯（tamper band）２０を備えている。キャップの第２の使用時における上方端２１は閉じられている。突起１３は、開封帯（tamper band）２０と干渉しないようキャップ上に配置されている。
【００５６】
使用時においては、円筒形状本体１２の下方の開口端はその中にボトルの首部（吸い口（spout））を受け入れ、それによってボトルの開口を閉塞している。キャップ１０がボトル１１に確実に取り付けられている時、開封帯（tamper band）２０は、ボトルの首部の周りにそこから側方に外に突出しているボトルのフランジ２２に対し近接した対面配置により座っている。この近接した対面配置は、開封に対し軽減（mitigate）している。
【００５７】
また、ボトル１１に対するキャップ１０の取り付けの間には、開封帯（tamper band）は、フランジ２２の上方でボトルの首上に配置されている峰（ridge）の周りで外側に変形し峰（ridge）の上に乗っている。これは、ボトルに対し開封帯（tamper band）を固定し、その結果として、それはキャップの残りの部分から離れるようになり、そしてボトルからキャップが取り除かれた時に後に残る。
【００５８】
図１及び２中に示されていないとはいうものの、典型的には円筒形状の本体１２の内表面は、ボトルの首の外表面上の対応している螺旋ねじ山と係合する為に、その上に形成されている螺旋ねじ山を有している（即ち、その結果、キャップはボトルの首上に螺合されたり、ボトルの首上から捩じりにより離脱されたりすることが可能になる）。変形例においては、円筒形状の本体１２の内表面は、ボトルの首の外表面とのスナップ（snap），摩擦，又は干渉適合係合（interference fit engagement）の為に寸法決めされているか又は構成されている（例えば、その上に形成されたあご（jaw）又はリブ（rib）を有している）ことが出来る。
【００５９】
図３を今度は見ると、もう一つの実施形態に従っている、ボトル１１１の開口を覆い閉塞する為のキャップ１１０の形状の閉塞具が示されている。キャップ１１０は、４つの突起１１３のみをそれが有していることを除き、図１及び図２中に示されているキャップ１０と同じである。これら４つの突起１１３は、キャップ１１０の本体１１２の周囲の周りに等間隔で離れている。
【００６０】
図４を今度は見ると、もう一つの実施形態に従っている、ボトル２１１の開口を覆い閉塞する為のキャップ２１０の形状の閉塞具が示されている。キャップ２１０は、キャップ２１０の本体２１２の周辺から周辺の周りに延出した唯一つの一体的な突起２１３を有していることを除き、図１及び図２のキャップ１０と同じである。突起２１３は、そこを通過する複数の開口２１６を有している。複数の開口２１６は、円形状をしていて、突起２１３の周りで互いに等距離離間している。単一の突起は代わりに個別（即ち、キャップの周りに直角に延出していない）であって良い。
【００６１】
図５を今度は見ると、もう一つの実施形態に従っている、ボトル３１１の開口を覆い閉塞する為のキャップ３１０の形状の閉塞具が示されている。キャップ３１０は、円筒形状の本体３１２の外側表面がその上に形成されている溝３２２を有していることを除き、図４のキャップ２１０と同じである。溝３２２は、本体３１２の長手方向又は軸に対し平行に延出していて、突起３１３中の開口３１６と直線状になっていてキャップの全体の重さを減少させ、ひいてはキャップのコストを減少させることが出来る。これらはまた、キャップの美観を強めることが出来る。溝３２２はまたキャップの外表面に対する追加の握り効果を提供することが出来る。
【００６２】
図６を今度は見ると、もう一つの実施形態に従っている、ボトル４１１の開口を覆い閉塞する為のキャップ４１０の形状の閉塞具が示されている。キャップ４１０は、突起４１３がその外縁４２４において一つ又はそれ以上の（この場合は、一連の）凹所４２３を備えていることを除き、図５のキャップ３１０と同じである。また、凹所はキャップの美観を強調できる一方で、外縁４２４における追加の握り効果も提供できる。これらはまた、キャップの重さ及び容積を減少出来、そしてひいては製造及び販売コストを減少できる。
【００６３】
図７を今度は見ると、もう一つの実施形態に従っている、ボトル５１１の開口を覆い閉塞する為のキャップ５１０の形状の閉塞具が示されている。キャップ５１０は、突起５１３が実質的に平坦であって本体５１２から外に直角に（orthogonally）突出していることを除き、図５のキャップ３１０と同じである。従って、突起５１３の下方表面５１４は人間工学的な形状に湾曲されていない。
【００６４】
図８を今度は見ると、もう一つの実施形態に従っている、ボトル８１１の開口を覆い閉塞する為のキャップ８１０の形状の閉塞具が示されている。キャップ８１０は、本体８１２の閉塞されている使用時における上方端８２１が、そこを通って流体が選択的にボトル８１１を出るポップアップ口片（pop-up mouth piece）８３０（時々、「スポーツ（sports）」口片（mouth piece）として引用されている）と（即ち、口片が展開（deployed）された時）協働することを除き、図１及び図２のキャップ１０と幾分か類似している。
【００６５】
（そこを介した流体の流れの為に）口片を展開（deployed）させるには、口片（mouth piece）８３０は上端８２１に対し飛び出る（pop-up）ことが出来る。しかしながら、子供の安全の理由の為に、本体８１２の全体（即ち、口片（mouth piece）８３０と協働している）が、その上で本体８１２が摺動する（段付８３２で示されている）第２本体部分８３１に対し飛び出る（pop-up）ことが出来る。開封帯（tamper band）８２０が次に、第２の本体部分８３１の使用時における下方端に破壊可能に設けられる。
【００６６】
図９を今度は見ると、もう一つの実施形態に従っている、ボトル９１１の開口を覆い閉塞する為のキャップ９１０の形状の閉塞具が示されている。キャップ９１０は、この例において本体９１２の閉塞されている使用時における上方端９２１がその上に形成されていてそこを通って流体がボトル９１１を出るノズル９３１を有していることを除き、また図１及び図２のキャップ１０と幾分か類似している。ノズルは自由に流れる型で良く、或いは、（例えば、ボトルのしごき（squeezing）及び／又は使用者の吸引により）そこにおいていったん所定の圧力に達すると流体を開放する弁と協働しても良い。キャップ９１０もまた、ノズル９３１及び上端９２１を覆い閉塞する為のフリップ−トップ  リッド（flip-top lid）９３２を備えている。リッド９３２は、ヒンジ（hinge）９３３により本体９１２にヒンジ動可能に（hingedly）取り付けられている。しかしながら、もう一つの実施形態においては、リッド（lid）９３２は本体９１２から完全に取り外し可能であって良い。
【００６７】
図１０及び１１は、図９のキャップ９１０上の変形例を示しており、幾つかの同様の部分は同様の参照番号により指摘されている。これらの図においては、ボトル９５２の開口を覆い閉塞する為のキャップ９５０が示されている。さらに、このキャップにおいては、本体９５６の閉塞されている使用時における上方端９５４が、その上に形成されていてそこを通って流体がボトル９５２を出るノズル９６０を有している。ノズルは自由に流れるよう開放されていて良く、或いは、（例えば、ボトルのしごき（squeezing）及び／又は使用者の吸引により）そこにおいていったん所定の圧力に達すると流体を開放する弁又は膜（membrane）９６２と協働しても良い。キャップ９５０はまた、ノズル９６０及び上端９５４を覆い閉塞する為のフリップ−トップ  リッド（flip-top lid）９７０を備えている。リッド９７０は、ヒンジ（hinge）９７２により本体９５６にヒンジ動可能に（hingedly）取り付けられている。しかしながら、もう一つの実施形態においては、リッド（lid）９７０は本体９５６から完全に取り外し可能であって良い。
【００６８】
図１２を今度は見ると、もう一つの実施形態に従っている、ボトル１０１１の開口を覆い閉塞する為のキャップ１０１０の形状の閉塞具が示されている。キャップ１０１０は、円筒形状の本体１０１２が今度はその使用時における上端及び下端の両方に開口を有していることを除き、また図１及び図２のキャップ１０と幾分か類似している。さらに、下端は、キャップをボトルの開口上に設けるよう、その中にボトルの首を受け入れるよう適合されている。本体１０１２は、例えば、開封帯（tamper band）又はリングにより規定されることが出来、又はそれは上蓋（over cap）１０４０に関して自由に設けられることが出来る。
【００６９】
さらに、さらなる異なりにより、キャップ１０１０はさらに、円筒形状の本体１０１２の開放した上端を閉塞する為の上蓋（over cap）１０４０を備えている。これに関しては、円筒形状の本体１０１２の外表面及びキャップ１０４０の内表面は、相互の合致した係合の為にそれらの上に形成された螺旋ねじ山を有することが出来、それによって上蓋（over cap）１０４０はキャップ１０１０上に独立して螺合されることが出来、そして捻りによる取り外しが出来る。変形例においては、上蓋（over cap）１０４０は、（図１１中のリッド９３２による如く）本体１０１２に対しヒンジ動可能に（hingedly）取り付けられていて良い。上蓋（over cap）は特別に設計されていて良く、又は、より簡素に、公知の寸法の現存している（即ち、多数のキャップ供給者に供給されている如き）キャップであることが出来る。
【００７０】
さらなる追加においては、キャップ１０１０には、突起１０１３が、キャップ本体１０１２の使用時における下方の開口端に破壊可能に（frangibly）連結されている開封帯（tamper band）と一体的に形成されることが出来る。
【００７１】
図１３を今度は見ると、全く明白に異なっている実施形態が示されていて、ここにおいて突起１１１３は今度はボトル１１５０の首の中に一体的に形成されている。上蓋（over cap）１１４０が、ボトルの首の上端１１５２上に別に螺合されたり捩じり外しされることが出来、首には１１５４において外部にねじ山が形成されている。図１３の（Ａ）は、ボトルの首に残っている上蓋（over cap）１１４０の開封リング（tamper ring）１１２０を示している。この実施形態においては、連結具１１１７は今度は突起１１１３を介してボトル１１１１に対し直接連結されることが出来る。
【００７２】
図１４を今度は見ると、図１２のキャップ１０１０に対する変形例が描かれていて、この場合には、ボトル１２１１の開口を覆い閉塞する為のキャップ１２１０の形状の閉塞具が示されている。この実施形態においては、上蓋（over cap）１２４０が紛失されないよう連結帯１２６０を介して円筒形状の本体１２１２に連結されている。また、本体１２１２は開封帯（tamper band）であることが出来る。上蓋（over cap）１２４０に対する帯１２６０の連結点１２６２は、帯に対する上蓋（over cap）の回転（自由回転（free-wheeling））を許容し、その結果として上蓋（over cap）はキャップ１２１０から独立して捩じり外されたり（図１４の（Ａ））又はキャップ１２１０上に捩じり戻されたり（図１４の（Ｂ））されることが出来る。
【００７３】
また、図１４の実施形態においては、連結具１２１７が今度は、上蓋（over cap）とは独立して、図１６の（Ａ）中に示されている如く突起１２１３を介してボトル１２１１に連結されていることが出来る。
【００７４】
図１５を今度は見ると、図１及び図２のキャップ１０に対する変形例が描かれていて、この場合には、ボトル１３１１の開口を覆い閉塞する為のキャップ１３１０の形状の閉塞具が示されている。この変形例においては、キャップ１３１０は、ボトルからの螺合解除時に紛失されないよう連結帯１３６０を介して開封帯（tamper band）１３２０に連結されている（即ち、図１及び２と同様に、キャップがボトルの首から外された時に開封帯（tamper band）がボトルの首に保持されるので）。
【００７５】
キャップ１３１０に対する連結帯１３６０の連結点１３６２は、連結帯に対するキャップの回転（自由回転（free-wheeling）を許容し、その結果としてキャップは、ボトルから独立して捩じり外されたり（図１５の（Ａ））又はボトル上に捩じり戻されたり（図１５の（Ｂ））されることが出来る。
【００７６】
図１５の実施形態によれば、連結具１３１７は、図１６Ｂ中に示されている如く突起１３１３を介してボトル１３１１に連結されているが、キャップの取り外しによってでも、連結帯１３６０により、ボトルに直接的にではなく留まる。
【００７７】
もう一つの変形例においては、突起（開口を伴うか、又は伴わない）１３，１１３，その他、は、キャップと別にボトルの首に設けられているリングの一部として一体的に形成されることが出来、リングはキャップとは独立してボトルの首上で回転出来る。これに関して、キャップは公知の（例えば、商業的に入手可能な）構造で在りえる。この他の変形例は、革新性と美的な価値の両方を提供することが出来る。
【００７８】
さらなる変形例では、突起（開口を伴うか、又は伴わない）１３，１１３，その他、は、キャップの周りに回転（自由回転（free-wheeling）するよう設けられているリングの一部として一体的に形成されることが出来る。これに関して、キャップは、そこにリングがキャップ上の保持の為にスナップ適合（snap fit）されることが出来る外部溝／通路を提供するよう変形されてよい。これのさらなる変形はまた、革新性と美的な価値の両方を提供することが出来る。
【００７９】
この開示の種々の実施形態に従っている、図１乃至図１６中に示されているキャップは、上述したものに対し多数の更なる利点を提供する。一つのこの様な利点は、突起が、
その閉塞又は開口の間にキャップのより多くの購入を得ることを人に可能にすることである。これは、小さく，弱く，又は関節炎の腕及び／又は指を伴っている人々の為に特に利益があり、この様な人々がボトルを開放したり閉塞したりすることをより容易にする。さらに、このより大きな購入は、幾つかの従来の閉塞具上に設けられる必要があった、キャップの本体上の波形（corrugation），ぎざぎざ（knurling），その他の必要を減らすか、又は無くす（幾つかの従来の閉塞具上の波形（corrugation）は、開放及び／又は閉塞の間に、特に最初の開放において、指のひりひりした痛みを生じさせることが出来る）。
【００８０】
図１乃至１６中に示されているキャップにおいては、突起がそこを通る少なくとも一つの開口を伴って示されているが、しかしながら、（例えば、突起が持ち運びの容易さのためにのみ設けられていて連結具の取り付けのためでは無い時）突起の少なくとも幾つか又は実際には全てが開口されていない、又は中実であることが出来る。突起は、使用者により（例えば、子供又はお年寄りにより）、より重いボトルを持ち運ぶことを許容する。突起における開口の提供は、連結具の使用を許容し、さらに、これによって、より重いボトルが使用者により（例えば、子供又はお年寄りにより）持ち運ばれることを可能にする。
【００８１】
図１乃至１６中に示されているキャップにおいては、ボトルに対し独立して取り付けられる（例えば、図１２中の如き円筒形状帯を介して）よう、一つ又はそれ以上の突起がキャップ及びボトルから分離されることが出来た。これに関しては、突起はキャップとは独立して作用することが出来る。
【００８２】
突起はまた、使用者が一つの手に複数のボトルを持ち運ぶことを許容する（即ち、一つ又はそれ以上のボトルを隣接した指の間の空間に保持することが出来ることにより）。
【００８３】
図１乃至図３中の突起の配置は、ボトル／閉塞具の使用時における上端での基礎の同様な構造を提供している。これに関して、これはボトルが逆さまになり閉塞具がその基部となることが出来ることを許容できる。
【００８４】
図１乃至１６のいずれかに示されている如きキャップ及びボトルの更なる利点は、それらの市場における潜在力（marketing potential）である。この閉塞具及びボトルの実施形態は、特有の視覚的魅力（unique visual appeal）を有しており、これは、この様な閉塞具取り付けられたボトルが従来の閉塞具を有しているボトルから容易に「際立つ（stand out）」ことを可能にしている。この視覚的魅力（visual appeal）は、キャップに対称性（symmetry）（又は非対称性（asymmetry））が採用された時に、さらに強調されることが出来る。異なっているキャップ及びボトルはまた収集可能（collectable）となることが出来る（例えば、使用者は一連の全てのキャップを収集しようと努力する）。
【００８５】
さらに、この開示に従っているキャップが取り付けられているボトルはキャップにより（又はボトル上の突起により）持ち運びが可能なので、ボトル上のいかなるロゴ（logo），ラベル（label），又は他のマーキング（marking）は、ボトルが持ち運ばれる時でさえ、十分に表示される。従って、ボトル上に置かれている販売用具（marketing material）は、ボトルに従来のキャップが設けられている時（ボトルが人の手により持ち運ばれることを要求している）と比べると、より多く露出される。
【００８６】
図１乃至１６中に示されている如きキャップ上の突起の提供は、キャップが落とされたときの転がりに対する抵抗をキャップに提供する。
【００８７】
この閉塞具の種々の実施形態は、２８，３５，４５ｍｍその他の如き種々の標準ボトル吸い口寸法と共に使用する為に、個々に寸法決めされることが出来る。また、閉塞具は、閉塞具からの物質の開放及びボトル中への液体内容物の導入の為に、その中に公知の物質分配機構（substance dispensing mechanism）を組み込むことが出来る。
【００８８】
この閉塞具の種々の実施形態はまた、炭酸飲料（beverage）及び非炭酸飲料を含み，そしてさらには発泡水（sparkling water）及びミネラル水を含む、幅広い種類の液体及び飲料（beverage）と共に使用されることが出来る。
【００８９】
特許請求の範囲及び前述した記載の両方においては、文章が言語表現又は必要な含み（implication）により他のことを要求する以外、用語「備える（comprise or comprises or comprising）は包含表現（inclusive sense）として使用されていて、即ち、言及したものの存在を明示するばかりでなく、突起，閉塞具，そしてボトルの種々の実施形態におけるさらなるものの存在又は追加を排除しない。
【図１】
2011504854.tif 000003
【図２】
2011504854.tif 000004
【図３】
2011504854.tif 000005
【図４】
2011504854.tif 000006
【図５】
2011504854.tif 000007
【図６】
2011504854.tif 000008
【図７】
2011504854.tif 000009
【図８】
2011504854.tif 000010
【図９】
2011504854.tif 000011
【図１０】
2011504854.tif 000012
【図１１】
2011504854.tif 000013
【図１２】
2011504854.tif 000014
【図１３】
2011504854.tif 000015
【図１４】
2011504854.tif 000016
【図１５】
2011504854.tif 000017
【図１６】
2011504854.tif 000018
【手続補正書】
【提出日】平成21年4月29日(2009.4.29)
【手続補正１】
【補正対象書類名】明細書
【補正対象項目名】００３１
【補正方法】変更
【補正の内容】
【００３１】
第３の概念に従えば、ボトルに取り付け可能な本体と、本体の周辺の周りに延出し本体から外に突出した一つ又はそれ以上の突起と、を備えていて、ボトルの開口を覆い閉塞する為の閉塞具が提供され、複数の個別の開口が一つ又はそれ以上の突起を通って延出し閉塞具の周りに配置されている、ことを特徴としている。
【手続補正２】
【補正対象書類名】明細書
【補正対象項目名】００４３
【補正方法】変更
【補正の内容】
【００４３】
突起は、閉塞具又はボトルのいずれかから分離されていることが出来、そして、これに関しボトルに対し別に設けられている要素の部分を形成することが出来る。
【手続補正３】
【補正対象書類名】明細書
【補正対象項目名】００４４
【補正方法】変更
【補正の内容】
【００４４】
またここに開示されているのは、ボトルの開口を覆い閉塞する閉塞具と共に使用されるよう適用されているか又はボトルと共に使用されるよう適用されている一つ又はそれ以上の突起であり、閉塞具はボトルに取り付け可能な本体を備えていて、ここにおいては、一つ又はそれ以上の突起は閉塞具の本体から延出しているか、又は閉塞具の本体が取り付けられている場所の近傍でボトルから延出していて、そして、一つ又はそれ以上の突起は閉塞具の本体の周辺の周りに延出しているとともに閉塞具の本体から外に突出していて、一つ又はそれ以上の突起を通して延出している複数の個別の開口を伴っていて、開口が閉塞具の周りに配置されている。
【手続補正４】
【補正対象書類名】明細書
【補正対象項目名】００４５
【補正方法】変更
【補正の内容】
【００４５】
さらに、突起は、閉塞具又はボトルから別であることが出来、そして、さらに、ボトルに対し別に設けられている要素の部分を形成することが出来る。
【手続補正５】
【補正対象書類名】明細書
【補正対象項目名】００４６
【補正方法】変更
【補正の内容】
【００４６】
一つ又はそれ以上の突起の夫々は、そこを通る開口を有することが出来る。
【手続補正書】
【提出日】平成21年10月22日(2009.10.22)
【手続補正１】
【補正対象書類名】明細書
【補正対象項目名】０００５
【補正方法】変更
【補正の内容】
【０００５】
第１の概念に従うと、ボトルの開口を覆い閉塞する為の閉塞具が提供され、閉塞具は、ボトルに取り付け可能な本体と、本体から外に突出した少なくとも一つの突起と、を備えていて、突起の使用時の下側表面が人間工学的な湾曲を規定していて、そこでは使用者の指が使用時に下側表面に対し密接して受け入れられることが出来、湾曲は閉塞具の本体の壁に沿って突起の下側表面に向かい外方に延出している、ことを特徴としている。
第２の概念に従うと、ボトルの開口を覆い閉塞する為の閉塞具が提供され、閉塞具は、ボトルに取り付け可能な本体と、そして本体から外に突出した少なくとも一つの突起と、を備えていて、少なくとも一つの突起が本体の周辺の周りに配置されてそこから突出しており、それによって突起の使用時の下側表面が人間工学的な湾曲を有していて、その結果として使用者の指が使用時に下側表面に対し密接して受け入れられることが出来る。
【手続補正書】
【提出日】平成21年11月17日(2009.11.17)
【手続補正１】
【補正対象書類名】明細書
【補正対象項目名】００３４
【補正方法】変更
【補正の内容】
【００３４】
第２の概念の閉塞具は、複数の突起を備えており、個々の突起はそこを通過する開口を有している。さもなければ、第３の概念の閉塞具は、第１の概念及び第２の概念の為に規定されている如くに出来る。
【手続補正２】
【補正対象書類名】明細書
【補正対象項目名】００３５
【補正方法】変更
【補正の内容】
【００３５】
第４の概念においては、ボトルから自由端に向かい側方に直角に外に延出するようボトルと一体に形成されている少なくとも一つの突起を備えているボトルが提供されており、少なくとも一つの突起はボトルの開口を覆い閉塞する為の閉塞具がボトルに取り付けられている位置の近傍に配置されていて、ここにおいては、第１の概念の閉塞具により規定されている如く、突起の使用時の下側表面が人間工学的な湾曲を有していて、それによって使用者の指が使用時に下側表面に対し密接して受け入れられることが出来、上記湾曲はボトルの壁に沿い突起の下側表面に向かい外方に延出している。
【手続補正３】
【補正対象書類名】明細書
【補正対象項目名】００３７
【補正方法】変更
【補正の内容】
【００３７】
第５の概念においては、ボトルの開口を覆い閉塞する為の閉塞具がボトルに取り付けられている場所の近傍の位置においてそこから延出している一つ又はそれ以上の突起を備えているボトルが提供されており、そこにおいては、突起はボトルの周辺の周りに延出しているとともにボトルから外に突出していて、そして、複数の個別の開口がボトルの周りで個々の突起を通って延出している。
【手続補正４】
【補正対象書類名】明細書
【補正対象項目名】００３８
【補正方法】変更
【補正の内容】
【００３８】
第５の概念のボトルにおいては、閉塞具がボトルの首に取り付けられた時に、それは一つ又はそれ以上の突起に対し接近して対面する関係に着座することが出来る。
【手続補正５】
【補正対象書類名】明細書
【補正対象項目名】００４１
【補正方法】変更
【補正の内容】
【００４１】
第５の概念のボトルにおいては、個々の突起はそこを通る開口を有することが出来る。他に、第５の概念のボトルの突起は、第１及び第２の概念の為に規定されている如く出来る。
【手続補正６】
【補正対象書類名】明細書
【補正対象項目名】００４２
【補正方法】変更
【補正の内容】
【００４２】
またここに開示されているのは、ボトルの開口を覆い閉塞する閉塞具と共に使用されるよう適用されているか又はボトルと共に使用されるよう適用されている突起であり、閉塞具はボトルに取り付け可能な本体を備えていて、ここにおいて、突起は閉塞具の本体から延出しているか、又は閉塞具の本体が取り付けられている場所の近傍でボトルから延出していて、そして、第１の概念において規定されている如く、突起の使用時の下側表面が人間工学的な湾曲を有していて、それによって使用者の指が使用時に下側表面に対し密接して受け入れられることが出来る。
【手続補正７】
【補正対象書類名】特許請求の範囲
【補正対象項目名】全文
【補正方法】変更
【補正の内容】
【特許請求の範囲】
【請求項１】
ボトルの開口を覆い閉塞する為の閉塞具であり、ボトルに取り付け可能な本体と、本体から外に突出した少なくとも一つの突起と、を備えていて、突起の使用時の下側表面が人間工学的な湾曲を規定していて、そこにおいて使用者の指が使用時に下側表面に対し密接して受け入れられることが出来、上記湾曲は閉塞具の本体の壁に沿い突起の下側表面に向かい外方に延出している、ことを特徴とする閉塞具。
【請求項２】
ボトルの開口を覆い閉塞する為の閉塞具であり、ボトルに取り付け可能な本体と、本体から外に突出した少なくとも一つの突起と、を備えていて、少なくとも一つの突起はそこから突出するよう本体の周辺の周りに配置されていて、それにより突起の使用時の下側表面が人間工学的な湾曲を有していて、その結果として使用者の指が使用時に下側表面に対し密接して受け入れられることが出来る、ことを特徴とする閉塞具。
【請求項３】
少なくとも一つの突起は、使用者の指が突起の下側表面と係合し閉塞具が取り付けられているボトルを持ち運び可能にするのに十分な寸法を許容するよう閉塞具の本体から十分に外に突出している、請求項１又は２中に請求されている閉塞具。
【請求項４】
少なくとも一つの突起は、閉塞具の本体の幅の少なくとも１０％まで閉塞具の本体から外に突出している、請求項３中に請求されている閉塞具。
【請求項５】
一つよりも多くの突起が閉塞具の本体から外に突出している、請求項１乃至４のいずれか１項に請求されている閉塞具。
【請求項６】
一連の隣接している突起が閉塞具の本体の周辺の周りに延出しているとともに閉塞具の本体から外に突出している、請求項５に請求されている閉塞具。
【請求項７】
突起の少なくとも１つが、そこを通る少なくとも１つの開口を有している、請求項１乃至６のいずれか１項に請求されている閉塞具。
【請求項８】
一つよりも多くの突起が閉塞具の本体から外に突出している時、個々の突起はそこを通る少なくとも１つの開口を有している、請求項１乃至７のいずれか１項に請求されている閉塞具。
【請求項９】
唯一つの突起が閉塞具の本体から延出している時、突起はそこを通る１つ以上の開口を有している、請求項１乃至７のいずれか１項に請求されている閉塞具。
【請求項１０】
一つの突起が閉塞具の本体の周りに直角に延出しているとともに、多数の開口が突起の周りに相互に均等な距離に離間している、請求項９に請求されている閉塞具。
【請求項１１】
少なくとも一つの開口は、本体がボトルに取り付けられた時に、開口を通った連結具の受け入れにより、少なくとも一つの突起によりボトルが持ち運びされることを可能にしている、請求項７乃至１０のいずれか１項に請求されている閉塞具。
【請求項１２】
閉塞具の本体の外側表面がその上に形成された多数の個別の溝を有していて、個々の溝は閉塞具の本体の長手方向軸に対し平行に延出している、請求項１乃至１１のいずれか１項に請求されている閉塞具。
【請求項１３】
個々の溝は、少なくとも一つの突起中の夫々の開口と直線状に配列されている、請求項１２に請求されている閉塞具。
【請求項１４】
突起は閉塞具の本体の側壁から側方に延出している、請求項１乃至１３のいずれか１項に請求されている閉塞具。
【請求項１５】
少なくとも一つの突起が、その外縁に少なくとも一つの凹みを備えている、請求項１乃至１４のいずれか１項に請求されている閉塞具。
【請求項１６】
閉塞具の本体が開封帯を備えていて、そして、少なくとも一つの突起が開封帯から外に突出している、請求項１乃至１５のいずれか１項に請求されている閉塞具。
【請求項１７】
閉塞具が取り除かれた時に開封帯がボトル上に保持され、これによって突起はボトルに保持される、請求項１６に請求されている閉塞具。
【請求項１８】
閉塞具がボトルから取り除かれた時にボトル上に残る帯に追加の連結具を介して連結されている、請求項１乃至１７のいずれか１項に請求されている閉塞具。
【請求項１９】
ボトルの開口を覆い閉塞する為の閉塞具であり、ボトルに取り付け可能な本体と、本体の周辺の周りに延出していて本体から外に突出した一つ又はそれ以上の突起と、を備えていて、一つ又はそれ以上の突起を通って延出していて閉塞具の周りに配置されている複数の個別の開口を特徴としている閉塞具。
【請求項２０】
夫々がそこを通る開口を有している複数の突起を備えている、請求項１９に請求されている閉塞具。
【請求項２１】
請求項１乃至１８のいずれか１項に規定されている如く異なっている、請求項１９又は２０に請求されている閉塞具。
【請求項２２】
ボトルから自由端まで外に側方に直角に延出するようボトルと一体に形成されている少なくとも一つの突起を備えているボトルであり、少なくとも一つの突起はボトルの開口を覆い閉塞する為の閉塞具がボトルに取り付けられている近傍に配置されていて、突起の使用時の下側表面が人間工学的な湾曲を有していて、それによって使用者の指が使用時に下側表面に対し密接して受け入れられることが出来、上記湾曲はボトルの壁に沿い突起の下側表面に向かい外方に延出している、ボトル。
【請求項２３】
ボトルの開口を覆い閉塞する為の閉塞具がボトルに取り付けられている場所の近傍においてそこから延出している複数の突起を備えているボトルであり、突起はボトルの周辺の周りに延出しているとともにボトルから外に突出していて、そして、個別の開口がボトルの周りで個々の突起を通って延出している、ボトル。
【請求項２４】
個々の突起がそこを通る開口を有している、請求項２３に請求されているボトル。
【請求項２５】
突起が、請求項１乃至１９のいずれか１項に規定されている如く異なっている、請求項２３又は２４に請求されているボトル。
【国際調査報告】
2011504854.tif 000019
2011504854.tif 000020
2011504854.tif 000021
2011504854.tif 000022
2011504854.tif 000023